(57)【要約】【課題】メンテナンス性に優れた電磁弁を備えた給湯機を提供すること。【解決手段】温水を貯湯する貯湯タンク８１と、貯湯タンク８１内の水を加熱する加熱装置８２と、貯湯タンク８１から出湯する出湯管８４と、貯湯タンク８１内に給水する給水管８３と、制御装置９１と、リモコン９２と、電磁弁１とを備え、電磁弁１は、給水管８３に配設されているとともに、電磁弁１のみが開閉動作するように、リモコン９２から操作することができる構成としたことを特徴とする給湯機で、電磁弁１の開閉動作を確認できるように、メンテナンス作業者等が、リモコン９２から電磁弁１の開閉動作を操作できるようにしたことで、メンテナンス性に優れた電磁弁を備えた給湯機を提供できる。【選択図】図２
2019066102.tif 000002
【特許請求の範囲】
【請求項１】
温水を貯湯する貯湯タンクと、
前記貯湯タンク内の水を加熱する加熱装置と、
前記貯湯タンクから出湯する出湯管と、
前記貯湯タンク内に給水する給水管と、
制御装置と、リモコンと、電磁弁と、を備え、
前記電磁弁は、前記給水管に配設されているとともに、
前記電磁弁のみが開閉動作するように、前記リモコンから操作することができる構成としたことを特徴とする給湯機。
【請求項２】
前記加熱装置を運転させなくても、前記電磁弁のみが開閉動作するように、前記リモコンから操作できる構成としたことを特徴とする請求項１に記載の給湯機。
【発明の詳細な説明】
【技術分野】
【０００１】
本発明は、電磁弁を備えた給湯機に関するものである。
【背景技術】
【０００２】
従来、この種の電磁弁を備えた給湯機に関して、以下の構成が開示されている（例えば、特許文献１参照）。
【０００３】
湯水を貯える貯湯タンクと、貯湯タンクから浴槽へと湯水を供給する風呂給湯管と、風呂給湯管内の湯水の流量を検知する流量検知手段と、風呂給湯管内の流路を開閉する電磁弁と、異常を報知する報知手段と、電磁弁の開閉指示を行う制御手段とを備え、制御手段から電磁弁へ閉弁指示が出ているにもかかわらず、流量検知手段で湯水の流れを検知したときは、報知手段で異常を報知する構成である。
【先行技術文献】
【特許文献】
【０００４】
【特許文献１】特開２０１１−２１２３号公報
【発明の概要】
【発明が解決しようとする課題】
【０００５】
しかしながら、前記従来の構成においては、電磁弁の開閉動作の不良が報知手段で報知された場合、電磁弁を交換する対策を行うが、交換後の電磁弁の開閉動作の確認に関する技術については、開示されていない。
【０００６】
本発明は、上記課題を解決するもので、メンテナンス性に優れた電磁弁を備えた給湯機を提供することを目的とする。
【課題を解決するための手段】
【０００７】
前記従来の課題を解決するために本発明の給湯機は、温水を貯湯する貯湯タンクと、前記貯湯タンク内の水を加熱する加熱装置と、前記貯湯タンクから出湯する出湯管と、前記貯湯タンク内に給水する給水管と、制御装置と、リモコンと、電磁弁と、を備え、前記電磁弁は、前記給水管に配設されているとともに、前記電磁弁のみが開閉動作するように、前記リモコンから操作することができる構成としたことを特徴とするものである。
【０００８】
これにより、電磁弁に異物が混入する等により、電磁弁の開閉動作が異常になった場合、電磁弁を交換するが、その交換した電磁弁の開閉動作を確認できるように、メンテナンス作業者等が、リモコンから電磁弁の開閉動作を操作できるようにしたことで、メンテナンス性に優れた電磁弁を備えた給湯機を提供できる。
【発明の効果】
【０００９】
本発明によれば、メンテナンス性に優れた電磁弁を備えた給湯機を提供できる。
【図面の簡単な説明】
【００１０】
【図１】（ａ）本発明の実施の形態１における給湯機の電磁弁の閉時の断面図（ｂ）本発明の実施の形態１における給湯機の電磁弁の開時の断面図
【図２】本発明の実施の形態１における給湯機の構成図
【発明を実施するための形態】
【００１１】
第１の発明は、温水を貯湯する貯湯タンクと、前記貯湯タンク内の水を加熱する加熱装置と、前記貯湯タンクから出湯する出湯管と、前記貯湯タンク内に給水する給水管と、制御装置と、リモコンと、電磁弁と、を備え、前記電磁弁は、前記給水管に配設されているとともに、前記電磁弁のみが開閉動作するように、前記リモコンから操作することができる構成としたことを特徴とする給湯機である。
【００１２】
これにより、電磁弁に異物が混入する等により、電磁弁の開閉動作が異常になった場合、電磁弁を交換するが、その交換した電磁弁の開閉動作を確認できるように、メンテナンス作業者等が、リモコンから電磁弁の開閉動作を操作できるようにしたことで、メンテナンス性に優れた電磁弁を備えた給湯機を提供できる。
【００１３】
第２の発明は、特に第１の発明において、前記加熱装置を運転させなくても、前記電磁弁のみが開閉動作するように、前記リモコンから操作できる構成としたことを特徴とするものである。
【００１４】
これにより、電磁弁に異物が混入する等により、電磁弁の開閉動作が異常になった場合、電磁弁を交換するが、その交換した電磁弁の開閉動作を確認できるように、メンテナンス作業者等が、前記加熱装置を運転させなくても、リモコンから電磁弁の開閉動作を操作できるようにしたことで、メンテナンス性に優れた電磁弁を備えた給湯機を提供できる。
【００１５】
以下、本発明の実施の形態について図面を参照しながら説明する。なお、この実施の形態によって本発明が限定されるものではない。
【００１６】
（実施の形態１）
図１は、本実施の形態１による給湯機の電磁弁の断面図であり、図１（ａ）は弁体の閉状態を示し、図１（ｂ）は弁体の開状態を示している。
【００１７】
本実施の形態１による電磁弁１は、ボディ１０内に、流入管路１１と流出管路１２とを形成し、流出管路１２の上流に弁座１３を形成している。流入管路１１にはフィルター１４を設けている。
【００１８】
電磁弁１は、弁座１３の上流で流入管路１１の下流に配置される弁体２０と、弁体２０を動作させるプランジャー３０と、プランジャー３０を動作させる電磁コイル４０と、プランジャー３０を内部に収納するプランジャーガイド５０とを有している。弁体２０とプランジャー３０とは、流出管路１２と同軸上に配置される。
【００１９】
弁体２０は、弁座１３の開口径より大きいダイヤフラムプレート２１と、ダイヤフラムプレート２１の外周から延出するダイヤフラム２２と、ダイヤフラムプレート２１の中心を貫通するパイロット孔２３と、ダイヤフラムプレート２１の外周を貫通するバイパス孔２４とを備えている。
【００２０】
ダイヤフラムプレート２１の中心には、プランジャー３０側に突出させた第１突出部２１ａと、流出管路１２側に突出させた第２突出部２１ｂとが形成され、パイロット孔２３の一端は第１突出部２１ａに形成され、パイロット孔２３の他端は第２突出部２１ｂに形成されている。
【００２１】
ダイヤフラム２２は、ダイヤフラムプレート２１の外周から延出するダイヤフラム外周部２２ａと、ダイヤフラムプレート２１の流出管路１２側の面の一部を覆うダイヤフラム内周部２２ｂとを備えている。弁座１３には、ダイヤフラム内周部２２ｂが当接する。
【００２２】
プランジャー３０の先端には、弾性体からなるディスク３１を備えている。また、プランジャー３０の後端には、プランジャー３０を押圧するバネ３２を配置している。電磁コイル４０は、プランジャー３０の外周に配置されている。
【００２３】
プランジャーガイド５０は、プランジャー３０が摺動する筒部５１と、筒部５１の開口側に形成される拡大部５２とを備えている。弁体２０と拡大部５２との間には背圧室６０が形成されている。背圧室６０は、バイパス孔２４によって流入管路１１と連通している。
【００２４】
図１（ａ）は、電磁コイル４０への通電がＯＦＦで、プランジャー３０がバネ３２によって押圧され、弁体２０に当接した状態にある。図１（ａ）の状態では、パイロット孔２３をディスク３１で閉塞するため、背圧室６０はバイパス孔２４によって流入管路１１と連通しているため、流出管路１２よりも高い圧力となって弁体２０を閉状態に維持する。
【００２５】
図１（ｂ）は、電磁コイル４０への通電をＯＮとし、プランジャー３０を弁体２０から引き離す方向に動作させた状態にある。図１（ｂ）の状態では、パイロット孔２３が開放されるため、背圧室６０内の流体は流出管路１２に流れ、背圧室６０は流入管路１１よりも低い圧力となり、一方で弁体２０の弁座１３側の面には流入管路１１の圧力が加わるため、弁体２０は開状態を維持する。
【００２６】
背圧室６０には、バイパス孔２４から流入する異物を、プランジャー３０と筒部５１との間に侵入させない異物侵入防止材７０を設けている。異物侵入防止材７０によって、プランジャー３０と筒部５１との間に異物を侵入させないことで、プランジャー３０の摺動動作を安定して行わせることができる。
【００２７】
異物侵入防止材７０は、液体が通過する材料で形成することが好ましく、不織布を用いることができる。異物侵入防止材７０を、液体が通過する材料で形成することで、プランジャー３０と筒部５１との間に流体を存在させることができるため、プランジャー３０の動作に支障を与えない。また、異物侵入防止材７０に不織布を用いることで、液体を通過させることができるとともに変形し易いためプランジャー３０の動作に影響を与えない。
【００２８】
図２は、本実施の形態１による電磁弁を用いた給湯機の構成図である。
【００２９】
本実施の形態１による給湯機は、温水を貯湯する貯湯タンク８１と、貯湯タンク８１内の水を加熱する加熱装置８２と、貯湯タンク８１内に水を給水する給水管８３と、貯湯タンク８１内から出湯する出湯管８４と、給水管８３に設けられた減圧弁８５と、出湯管８４の途中に設けられている混合弁８６と、給水管８３から分岐して混合弁８６に接続される給水分岐管８７と、貯湯タンク８１内の下部の水を加熱装置８２に導く往き管８８と、加熱装置８２から貯湯タンク８１に温水を戻す戻り管８９とを備えている。
【００３０】
本実施の形態１における給湯機は、減圧弁８５の上流側の給水管８３と、混合弁８６の下流側の出湯管８４とに、電磁弁１が設けられている。そして、出湯管８４の電磁弁１の下流側には、流量検知センサ９０が設けられている。また、出湯管８４の混合弁８６の下流側には、出湯温度センサ９３が設けられている。そして、往き管８８にはポンプ８８ａが設けられている。
【００３１】
戻り管８９は、三方弁８９ａによって、タンク上戻り管８９ｂとタンク下戻り管８９ｃとに分岐し、タンク上戻り管８９ｂは貯湯タンク８１の上部に接続され、タンク下戻り管８９ｃは貯湯タンク８１の下部に接続されている。
【００３２】
加熱装置８２は、圧縮機８２ａと、水熱交換器８２ｂと、膨張弁８２ｃと、空気熱交換器８２ｄから構成されるヒートポンプ装置である。往き管８８と戻り管８９とは、水熱交換器８２ｂに接続されている。
【００３３】
また、本実施の形態１における給湯機は、制御装置９１とリモコン９２とを有していて、減圧弁８５の上流側の給水管８３と、混合弁８６の下流側の出湯管８４とに電磁弁１が設けられている。
【００３４】
そして、減圧弁８５の上流側の給水管８３に設けられている電磁弁１に関しては、制御装置９１を介して、電磁弁１のみが開閉動作するように、リモコン９２から直接操作できる構成となっている。
【００３５】
すなわち、減圧弁８５の上流側の給水管８３に設けられている電磁弁１において、給水管８３から給水が必要なときに、電磁弁１が異物混入等により開かず給水されない場合、給水管８３を介して、貯湯タンク８１内や給水分岐管８７に水が流れないため、混合弁８６にも給水されず、混合弁８６にて出湯温度が調整できないため、出湯温度センサ９３が異常温度を検知し、リモコン９２に「エラー表示」が表示される。
【００３６】
そして、その動作不良の電磁弁１を、本実施の形態１による異物侵入防止材７０を有する電磁弁１に交換するとともに、交換後の電磁弁１の開閉動作を確認するために、電磁弁１のみが開閉動作するように、メンテナンス作業者等が直接リモコン９２にて操作し、その操作により、制御装置９１を介して電磁弁１の正常な開閉動作を確認できる構成となっている。
【００３７】
すなわち、貯湯タンク８１内の水を加熱する加熱装置８２であるヒートポンプ装置を運転させなくても、交換後の電磁弁１のみの開閉動作を確認でき、これにより、貯湯タンク８１内への給水が確認できる構成となっている。
【００３８】
以上の構成により、メンテナンス性に優れた電磁弁１を備えた給湯機を提供できる。
【産業上の利用可能性】
【００３９】
本発明によれば、メンテナンス性に優れた電磁弁を備えた給湯機を提供できるので、家庭用の給湯機のみならず、業務用等の給湯機にも適用できる。
【符号の説明】
【００４０】
１  電磁弁
１０  ボディ
１１  流入管路
１２  流出管路
１３  弁座
１４  フィルター
２０  弁体
２１  ダイヤフラムプレート
２１ａ  第１突出部
２１ｂ  第２突出部
２２  ダイヤフラム
２２ａ  ダイヤフラム外周部
２２ｂ  ダイヤフラム内周部
２３  パイロット孔
２４  バイパス孔
３０  プランジャー
３１  ディスク
３２  バネ
４０  電磁コイル
５０  プランジャーガイド
５１  筒部
５２  拡大部
６０  背圧室
７０  異物侵入防止材
８１  貯湯タンク
８２  加熱装置
８２ａ  圧縮機
８２ｂ  水熱交換器
８２ｃ  膨張弁
８２ｄ  空気熱交換器
８３  給水管
８４  出湯管
８５  減圧弁
８６  混合弁
８７  給水分岐管
８８  往き管
８８ａ  ポンプ
８９  戻り管
８９ａ  三方弁
８９ｂ  タンク上戻り管
８９ｃ  タンク下戻り管
９０  流量検知センサ
９１  制御装置
９２  リモコン
９３  出湯温度センサ
【図１】
2019066102.tif 000003
【図２】
2019066102.tif 000004